(57)【要約】【課題】壁パネルの表側から開口を通しての後付け装着が簡単で便利に行える利点はそのまま踏襲しながら、嵌め込み時の不測の損傷のおそれが無く、奥行きの短い薄型壁パネルにも適用できて汎用性や使い勝手の向上する電設用取付体を提供する。【解決手段】壁パネルＷの開口１０に後付けされるＣ型電設用取付体Ａにおいて、開口周辺のパネル裏面に当る鍔部３、及び開口内周面１０ａに沿ってパネル表面側に突出する枠部４を持つ取付部１，２の一対が、開口１０での相対向する一辺部１５と他辺部１６とに振り分け配置され、両取付部１，２が、これらどうしを接近相対移動させて開口１０の通過可能な収縮状態と、両取付部１，２を互いに遠ざけ移動させて各枠部４，４が開口内周面１０ａに当接する伸張状態との切換可能に連結され、枠部４に、伸張状態に切換えるための第１取付部１と第２取付部２との相対遠ざかり移動で、開口内周面１０ａから壁パネルＷに食い込む突刺し部材７を装備する。【選択図】図１
2009261151.tif 000002
【特許請求の範囲】
【請求項１】
壁パネルの開口内に後付けされる電設用取付体であって、
前記壁パネルにおける開口周辺部の裏面に当接可能な鍔部、及び前記壁パネルにおける開口内周面に沿って壁パネル表面側に突出する枠部を備える第１及び第２取付部が、前記開口周辺部における相対向する一辺部と他辺部とに振り分けられる状態に相対配置されるとともに、
前記両取付部が、これら両取付部どうしを互いに接近する方向に相対移動させることで前記開口の通過が可能となる収縮状態と、前記両取付部を互いに遠ざかる方向に相対移動させることで前記各枠部が前記開口内周面に当接可能となる伸張状態との切換が可能に互いに連結され、
前記枠部に、前記伸張状態に切換えるための前記第１取付部と前記第２取付部との相対遠ざかり移動により、前記開口内周面から前記壁パネルに食い込み可能となる突刺し部材が装備されている電設用取付体。
【請求項２】
前記突刺し部材が、前記枠部に植設される針である請求項１に記載の電設用取付体。
【請求項３】
前記突刺し部材が前記枠部における両端部のそれぞれに装備されている請求項１又は２に記載の電設用取付体。
【請求項４】
一方の前記取付部における前記鍔部又は／及び前記枠部から延出されるアーム部と他方の前記取付部における前記鍔部又は／及び前記枠部から延出されるアーム部とを相対摺動移動可能に連結することにより、前記収縮状態と前記伸張状態との切換えを可能とする連結部が構成されている請求項１〜３の何れか一項に記載の電設用取付体。
【請求項５】
壁パネルの開口内に後付けされる電設用取付体であって、
前記壁パネルにおける開口周辺部の裏面に当接可能な鍔部と、前記壁パネルにおける開口内周面に沿って壁パネル表面側に突出する枠部と、前記枠部の両端夫々から開口内周面に沿って延びるアーム部とを備える取付部の一対が、前記開口周辺部における相対向する一辺部と他辺部とに振り分けられる状態に相対配置されるとともに、
前記両取付部どうしを互いに接近する方向に相対移動させることで前記開口の通過が可能となる収縮状態と、前記両取付部を互いに遠ざかる方向に相対移動させることで前記各枠部が前記開口内周面に当接可能となる伸張状態とが切換可能となるように、一方の前記取付部の各アーム部と他方の前記取付部の各アーム部どうしを相対移動可能に連結する一対の連結部が設けられ、
前記連結部を、一方のアーム部に形成される摺動部と、これに相対摺動可能に嵌合される状態で他方のアーム部に形成される被摺動部とによって構成し、かつ、前記取付部の一対のアーム部に前記摺動部と被摺動部とを振り分けて形成することにより、前記各取付部どうしが同一部品に構成されている電設用取付体。
【請求項６】
前記摺動部が前記一方のアーム部に形成される突起を有して形成され、前記被摺動部が前記他方のアーム部に形成されて前記突起の嵌り込みが可能な長孔を有して形成されている請求項５に記載の電設用取付体。
【請求項７】
前記一方のアーム部と前記他方のアーム部との摺動移動を、前記突起と前記長孔との嵌り込み方向に交差する方向で導き案内するためのガイド壁が前記アーム部に形成されている請求項６に記載の電設用取付体。
【発明の詳細な説明】
【技術分野】
【０００１】
本発明は、間仕切り壁パネル等の壁パネルの開口内にスイッチやコンセント等配線器具を後付け可能にする電設用取付体に関するものである。
【背景技術】
【０００２】
この種の電設用取付体としては、特許文献１において開示されたものが知られている。これは、小ネジや取付金具を用いることなく、電設用取付体を撓ませるだけのワンタッチ操作で壁パネルの開口に仮止めでき、また配線器具を利用して壁パネルを挟着できて部材コストダウン、施工コストダウンを図れる優れものとして開発されたものである。
【０００３】
即ち、上記の電設用取付体は、特許文献１の図５等に示されるように、電設用取付体Ｆの両側面部１２，１２の前端部どうしを親指と他の指との間に挟んで取付体本体１３を取付体内方に撓ませて、鍔部１５，１５どうし間の間隔を狭めて壁パネルＷの開口１０の開口幅よりも小さくさせることにより、その開口１０を表側から裏面側に通過させて嵌め込むことができる便利なものである。
【０００４】
そして、開口１０への嵌め込み後に、両側面部１２，１２から手を離すと、取付体本体１３が弾性復元作用により原形状に戻り、特許文献１の図６等に示されるように、突起片１６，１６が開口１０内周の上下の角部にそれぞれ弾性当接するとともに、鍔部１５，１５が壁パネルＷの開口１０周辺の裏面側に当接し、これにより電設用取付体Ｆを壁パネルＷの開口１０内にがたつくことなく、しかもワンタッチ操作で仮止めすることができる。
【０００５】
しかしながら、上記従来技術による電設用取付体では、これを壁パネルＷの表面側から開口１０に嵌め込むときに、壁パネルＷ内から引き出される電線Ｄを、側面部１２の枠内部や側面部１２，１２どうし間の開放部、或いは枠形状の背面部１１の枠内部等に通すという面倒な作業が要求される不利がある。また、誤って撓ませ過ぎたり、或いは材料特性や温度や湿度等の環境条件によっては、開口に通すべく撓ませた際に折れるとかひびが入るといった損傷のおそれがある。加えて、特許文献１の図６等に示されるように、背面部１１が比較的奥に離れて位置する奥深型の取付体であるから、例えば、室内における仕切りパネル等の厚さの薄い壁パネルには使用できず、適用場所が制限されてしまう不都合もあり、電設用取付体としてはさらなる改善の余地があるように思える。
【特許文献１】特開２００４−１１２９３２号公報
【発明の開示】
【発明が解決しようとする課題】
【０００６】
本発明の目的は、更なる構造工夫により、壁パネルの表側から開口を通して嵌め込めて後付け装着が簡単で便利に行えるという利点はそのまま踏襲しながら、嵌め込み時の不測の損傷のおそれが無く、しかも奥行きの短い薄型壁パネルにも適用できて汎用性や使い勝手の向上する電設用取付体を提供する点にある。
【課題を解決するための手段】
【０００７】
請求項１に係る発明は、壁パネルＷの開口１０内に後付けされる電設用取付体において、
前記壁パネルＷにおける開口周辺部の裏面ｗｂに当接可能な鍔部３、及び前記壁パネルＷにおける開口内周面１０ａに沿って壁パネル表面ｗａ側に突出する枠部４を備える第１及び第２取付部１，２が、前記開口周辺部における相対向する一辺部１５と他辺部１６とに振り分けられる状態に相対配置されるとともに、
前記両取付部１，２が、これら両取付部１，２どうしを互いに接近する方向に相対移動させることで前記開口１０の通過が可能となる収縮状態と、前記両取付部１，２を互いに遠ざかる方向に相対移動させることで前記各枠部４，４が前記開口内周面１０ａに当接可能となる伸張状態との切換が可能に互いに連結され、
前記枠部４に、前記伸張状態に切換えるための前記第１取付部１と前記第２取付部２との相対遠ざかり移動により、前記開口内周面１０ａから前記壁パネルＷに食い込み可能となる突刺し部材７が装備されていることを特徴とするものである。
【０００８】
請求項２に係る発明は、請求項１に記載の電設用取付体において、前記突刺し部材７が、前記枠部に植設される針７であることを特徴とするものである。
【０００９】
請求項３に係る発明は、請求項１又は２に記載の電設用取付体において、前記突刺し部材７が前記枠部４における両端部のそれぞれに装備されていることを特徴とするものである。
【００１０】
請求項４に係る発明は、請求項１〜３の何れか一項に記載の電設用取付体において、一方の前記取付部１における前記鍔部３又は／及び前記枠部４から延出されるアーム部５と他方の前記取付部２における前記鍔部３又は／及び前記枠部４から延出されるアーム部６とを相対摺動移動可能に連結することにより、前記収縮状態と前記伸張状態との切換えを可能とする連結部Ｒが構成されていることを特徴とするものである。
【００１１】
請求項５に係る発明は、壁パネルＷの開口１０内に後付けされる電設用取付体において、
前記壁パネルＷにおける開口周辺部の裏面ｗｂに当接可能な鍔部３と、前記壁パネルＷにおける開口内周面１０ａに沿って壁パネル表面ｗａ側に突出する枠部４と、前記枠部４の両端夫々から開口内周面１０ａに沿って延びるアーム部５，６とを備える取付部２１の一対が、前記開口周辺部における相対向する一辺部１５と他辺部１６とに振り分けられる状態に相対配置されるとともに、
前記両取付部２１，２１どうしを互いに接近する方向に相対移動させることで前記開口１０の通過が可能となる収縮状態と、前記両取付部２１，２１を互いに遠ざかる方向に相対移動させることで前記各枠部４，４が前記開口内周面１０ａに当接可能となる伸張状態とが切換可能となるように、一方の前記取付部２１の各アーム部５，６と他方の前記取付部２１の各アーム部５，６どうしを相対移動可能に連結する一対の連結部Ｒ，Ｒが設けられ、
前記連結部Ｒを、一方のアーム部５に形成される摺動部２２と、これに相対摺動可能に嵌合される状態で他方のアーム部６に形成される被摺動部２３とによって構成し、かつ、前記取付部２１の一対のアーム部５，６に前記摺動部２２と被摺動部２３とを振り分けて形成することにより、前記各取付部２１，２１どうしが同一部品に構成されていることを特徴とするものである。
【００１２】
請求項６に係る発明は、請求項５に記載の電設用取付体において、前記摺動部２２が前記一方のアーム部５に形成される突起２４を有して形成され、前記被摺動部２３が前記他方のアーム部６に形成されて前記突起２４の嵌り込みが可能な長孔２５を有して形成されていることを特徴とするものである。
【００１３】
請求項７に係る発明は、請求項６に記載の電設用取付体において、前記一方のアーム部５と前記他方のアーム部６との摺動移動を、前記突起２４と前記長孔２５との嵌り込み方向に交差する方向で導き案内するためのガイド壁２９，３１が前記アーム部５，６に形成されていることを特徴とするものである。
【発明の効果】
【００１４】
請求項１の発明によれば、鍔部と枠部とから成る取付部の一対を伸縮可能に連結する構造であり、背面壁やそれを支持するための部材を持たない構造の電設用取付体に構成されているから、奥行き寸法を極めて短くできて厚さの薄い壁パネルでにも適用可能になるとともに、壁パネル内から引き出される電線を、側面部の枠内部や側面部どうし間の開放部、又は枠形状の背面部の枠内部といった部材間の狭い箇所を通すという面倒な作業が不要になる。そして、取付部どうしを収縮状態とすることで電設用取付体を開口内に容易に嵌め込むことができるとともに、その嵌め込んだ状態で伸張状態に切換えることで壁パネルへの装着状態を得ることができる。この一連の嵌め込み及び装着操作には、部材を撓ますような変形を伴うことが無いから、それに起因して折れたりひびが入るといった不都合が生じないものとなる。また、伸張状態への切換操作に伴って、枠部に装備されている突刺し部材が壁パネルに食い込むから、壁パネルに装着される伸張状態では、電設用取付体が壁パネル内に落ちてしまうという不測の事態が生じないようになる。
【００１５】
その結果、壁パネルの表側から開口を通して嵌め込めて後付け装着が簡単で便利に行えるという利点はそのまま踏襲しながら、嵌め込み時の不測の損傷のおそれが無く、しかも奥行きの短い薄型壁パネルにも適用できて汎用性や使い勝手の向上する電設用取付体を提供することができる。加えて、伸張状態での壁パネル装着時における電設用取付体の不測の壁パネル内への落下も未然に防止されるようになり、施工性が改善される効果も奏することができる。この場合、請求項４のように、一方の取付部のアーム部と他方の取付部のアーム部とを相対摺動移動可能に連結することにより、収縮状態と伸張状態とを切換える連結部を実用的に構成することができる。
【００１６】
請求項２の発明によれば、突刺し部材として枠部に植設される針としてあるので、それほど力を加えなくても比較的容易に壁パネルに突刺しすことが可能であり、枠部を開口内周面に当接させた状態で誤って取付体を壁パネルの内部空間に落としてしまう不都合が解消される効果が、比較的廉価で施工性も良いものとしながら実現できる利点がある。この場合、請求項３のように、枠部の両端部のそれぞれに針等の突刺し部材を配すれば、幅を持った電設用取付体であっても前記利点を確実で安定して得られるようになる。
【００１７】
請求項５の発明によれば、鍔部と枠部と一対のアーム部とから成る取付部の一対を伸縮可能に連結する構造であり、背面壁やそれを支持するための部材を持たない構造の電設用取付体に構成されているから、奥行き寸法を極めて短くできて厚さの薄い壁パネルでにも適用可能になるとともに、壁パネル内から引き出される電線を、側面部の枠内部や側面部どうし間の開放部、又は枠形状の背面部の枠内部といった部材間の狭い箇所を通すという面倒な作業が不要になる。そして、取付部どうしを収縮状態とすることで電設用取付体を開口内に容易に嵌め込むことができるとともに、その嵌め込んだ状態で伸張状態に切換えることで壁パネルへの装着状態を得ることができる。この一連の嵌め込み及び装着操作には、部材を撓ますような変形を伴うことが無いから、それに起因して折れたりひびが入るといった不都合が生じないものとなる。また、アーム部に形成される摺動部の構造工夫により、各取付部どうしが互いに同一の部品に構成できているので、部品間違いや組付け間違いが生じないとともに、部品種類の削減による管理コストや生産コストの削減が可能となる利点もある。
【００１８】
その結果、壁パネルの表側から開口を通して嵌め込めて後付け装着が簡単で便利に行えるという利点はそのまま踏襲しながら、嵌め込み時の不測の損傷のおそれが無く、しかも奥行きの短い薄型壁パネルにも適用できて汎用性や使い勝手の向上する電設用取付体を提供することができる。加えて、一対の取付部が互いに同一部品であるという最小種類の部品でもって経済的、合理的に電設用取付体が構成できる利点もある。
【００１９】
請求項６の発明によれば、一方のアーム部の長孔と他方のアーム部の突起とを嵌合させるという、構造簡単で作り易い合理的な手段でもって連結部を構築できる利点がある。
【００２０】
請求項７の発明によれば、突起と長孔との嵌合によって相対摺動させる構成に加えて、前記嵌合方向に交差する方向で作用するガイド壁が存在しているので、一方のアーム部と他方のアーム部との相対摺動移動がガタツキ少なくより安定的に行える利点がある。
【発明を実施するための最良の形態】
【００２１】
以下に、本発明による電設用取付体の実施の形態を、図面を参照しながら説明する。図１〜図１１は実施例１によるＣ型電設用取付体を示す各図、図１２，１３はＣ型電設用取付体を壁パネルの開口部分へ装着させる作用図、図１４〜図２２は実施例２による口型電設用取付体を示す各図である。
【００２２】
〔実施例１〕
実施例１による電設用取付体は、図１〜図１３に示すように、Ｌ字形状の第１取付部１とＬ字形状の第２取付部２とが摺動伸縮可能に連結されて成るＣ型電設用取付体Ａに構成されている。このＣ型電設用取付体Ａは、第１取付部１と第２取付部２とを互いに近付く方向に相対摺動移動させて、第１取付部１の鍔部３と第２取付部２の鍔部３との全高Ｄが、壁パネルＷの開口１０の上下寸法Ｌより少し短い値（Ｄ＜Ｌ）となる収縮状態（＝収縮姿勢、図１参照）と、第１取付部１と第２取付部２とを互いに遠ざかる方向に相対摺動移動させて、第１取付部１の枠部４と第２取付部２の枠部４との全高ｆが、開口１０の上下寸法Ｌと同等又は少し大（ｆ≧Ｌ）となる伸張状態（＝伸張姿勢、図７参照）とに切換可能に構成されている。
【００２３】
つまり、Ｃ型電設用取付体Ａは、収縮状態として図１０に示すように壁パネルＷの開口１０から壁パネルＷの内部空間Ｓに入り込ませることができる。次いで、その入り込ませた状態で第１及び第２取付部１，２を互いに遠ざかり（引き離し）移動させることにより、針７が壁パネルＷに食い込んで枠部４，４が開口内周面１０ａの一部である上内周面（一辺部の一例）１５及び下内周面（他辺部の一例）１６に当接し、かつ、鍔部３，３が壁パネルＷの裏面ｗｂに当接する装着状態にすることができる。そして、例えば電気スイッチ用の板状金具１１を、装着状態とされたＣ型電設用取付体Ａのナット部８，８に螺合するビス９を用いて締め付け固定することができる。尚、実施例１においては、説明の利便上、前後左右及び上下の各方向は図５，６に示すように定義する。
【００２４】
要するに、実施例１によるＣ型電設用取付体Ａは、壁パネルＷにおける開口１０周辺部の裏面ｗｂに当接可能な鍔部３、及び壁パネルＷにおける開口１０の内周面１０ａに沿って壁パネルＷの表面ｗａ側に突出する枠部４を備える取付部１，２の一対が、開口周辺部における相対向する一辺部１５と他辺部１６とに振り分けられる状態に相対配置されるとともに、両取付部１，２が、これら両取付部１，２どうしを互いに接近する方向に相対移動させることで開口１０の通過が可能となる収縮状態（図１参照）と、両取付部１，２を互いに遠ざかる方向に相対移動させることで各枠部４，４が開口内周面１０ａに当接可能となる伸張状態（図９参照）との切換が可能に互いに連結される連結部Ｒが構成され、各枠部４，４に、伸張状態に切換えるための第１取付部１と第２取付部２との相対遠ざかり移動により、開口内周面１０ａから壁パネルＷに食い込み可能となる針（突刺し部材）７が装備されている。
【００２５】
各部について説明する。各取付部１，２は、壁パネルＷにおける開口１０の周辺部の裏面ｗｂに当接可能な鍔部３、開口１０の内周面１０ａに沿って壁パネルＷの表面ｗａ側に突出する枠部４、鍔部３及び枠部４から延出されるアーム部５，６を有して成る略Ｌ字形状で硬質塩化ビニル等の合成樹脂製のものに形成されている。鍔部３の左右方向で略中央には、その裏側に続く円柱状で雌ネジ８ａを有するナット部８が形成されており、その表側となる枠部４には、雌ネジ８ａに螺着されるビス９との干渉を避けるため内側に円弧状で湾曲する逃がし部分４ａが形成されている。尚、ナット部８は、雌ネジ８ａを有する金属製等の別部品であるナット部材が筒状の樹脂部分（取付部１，２の一部）にインサートされて成る構造でも良い。
【００２６】
第１アーム部５は、鍔部３に続く縦板部５Ａと枠部４に続く縦枠部５Ｂと、縦板部５Ａの裏面側から続くインナー板部５Ｃと、インナー板部５Ｃの下端部に形成される突起５ｔとを有して構成されている。インナー板部５Ｃの表面１１と、縦枠部５Ｂの、即ち鍔部３の裏面１２とは互いに略同一水平面上に位置している。
【００２７】
第２アーム部６は、鍔部３に続く縦板部６Ａと枠部４に続く縦枠部６Ｂと、縦枠部６Ｂから後向きに延出されて縦板部６Ａの後側に平行に沿う状態で配される第２縦板部６Ｃと、縦板部６Ａに形成される長孔６ｈとを有して構成されている。図６等に示すように、縦板部６Ａにおける長孔６ｈの上下中央の外側部分には、突起５ｔを長孔６ｈに導き入れるために前方に凹入する誘導溝６Ｍが形成されている。誘導溝６Ｍはの前後方向の深さが、突起５ｔを導き入れ易くすべく入口深さが深く、奥に行くに従って浅くなるように、溝底面６ｍを傾斜面としてある。誘導溝６Ｍの最奥端での溝深さｇは、突起５ｔの高さｈよりも少し小さくしてあり、挿入する際に縦板部６Ａを若干弾性変位させて入れる無理入れ構造としてある。
【００２８】
突起５ｔの幅ｉは、長孔６ｈの内幅ｊとほぼ同じ（厳密には極僅か大きい）値に設定してあり、突起５ｔが長孔６ｈに挿入された第１取付部１と第２取付部２との組付け状態では、縦板部６Ａと第２縦板部６Ｃとを繋ぐ連結板部６Ｒの外側面６ｒと、インナー板部５Ｃの内側短面５Ｄとが摺接すること、及び突起５ｔと長孔６ｈとが嵌合することとにより、第１アーム部５と第２アーム部６との、即ち第１取付部１と第２取付部２との左右方向のガイドが行われる。
【００２９】
そして、連結部Ｒとしての組付状態では、縦板部６Ａの後側面６ａとインナー板部５Ｃの表面１１と、及び第２縦板部６Ｃの前側面６ｃとインナー板部５Ｃの裏面１３との摺接により、第１アーム部５と第２アーム部６との、即ち第１取付部１と第２取付部２との前後方向のガイドが行われる。つまり、この第１アーム部５と第２アーム部６とが摺動移動（スライド移動）可能に嵌合される構造の連結部Ｒにより、片持ち支持状態でありながら、第１取付部１と第２取付部２とが比較的安定して相対伸縮移動可能となるＣ型電設用取付体Ａが構成されている。
【００３０】
図６（ｂ）に示すように、突起５ｔを長孔６ｈに入れて連結部Ｒを組付状態にすれば、自然状態では突起５ｔが誘導溝６Ｍを通って抜出すことは無く、第１取付部１と第２取付部２とを互いに離れる方向に引張りスライド（摺動移動）させて突起５ｔが長孔６ｈの最上部に位置する伸張状態（図９〜１１を参照）に切換えることができる。そして、第１取付部１と第２取付部２とを互いに近付く方向に押し込みスライド（摺動移動）させることで突起５ｔが長孔６ｈの最下部に位置する収縮状態（図１，２，７，８を参照）に切換えることができる。
【００３１】
次に、Ｃ型電設用取付体Ａの壁パネルＷへの装着について説明する。図１２に示すように、まず取付体Ａを収縮状態にしてから、垂直な姿勢で又はやや前後方向に倒した傾斜姿勢で開口１０に入れ込む。図１２は、やや手前倒れさせた前傾姿勢として、下側の（第２取付部２の）鍔部３を開口１０から壁パネルＷの内部空間Ｓに入れた状態を示している。次いで、上側の（第１取付部１の）鍔部３も開口１０を通して内部空間Ｓに入れ、それから、上下の鍔部３，３が壁パネルＷの裏面ｗｂに沿わした状態で上下の枠部４，４を手指で押す等して第１取付部１と第２取付部２とを引き離して伸張状態に切換る操作を行う。
【００３２】
尚、図示は省略するが、各取付部１，２の枠部４の左右幅は、正面視で上下に長い矩形を呈する開口１０の横幅寸法よりも小さい寸法に設定されている。枠部４の幅に縦板部５Ａ（又は６Ａ）の幅を含んだ全幅の寸法よりも開口１０の横幅寸法が大である場合には、取付体Ａを壁パネルＷと左右方向で平行な姿勢（図１２参照）で開口１０内に取り入れることが可能である。そして、前記全幅の寸法より開口１０の横幅寸法が小さく、かつ、枠４の幅寸法より開口１０の横幅寸法が大きい場合には、取付体Ａを捻って左右寸法を小さくした状態で開口１０内に入れ込むことが可能である。
【００３３】
すると、図１３に示すように、上下のそれぞれの一対の針７，７が内周面１０ａから壁パネルＷに食込んだ状態で上下の枠部４，４が内周面１０に当接した装着状態にすることができる。このとき、針７は先が尖っていて比較的容易に壁パネルｗに突き刺さり、抵抗少なく枠部４を内周面１０ａに当接させることが可能であり、それによって取付体Ａの不測の内部空間Ｓへの落下が防止される好ましい効果がある。そして、スイッチやコンセント等の配線器具用基板Ｋを、一対のビス１４，１４を用いてナット部８の雌ネジ８ａに螺合させて壁パネルＷの表面ａに当接させて螺着することができる。尚、図１３のＵＷは内壁等の奥行きの狭い内部空間Ｓを規定する部材である。
【００３４】
この方持ち支持構造でスライド伸縮させる構成のＣ型電設用取付体Ａは、開口１０の直ぐ横に柱等の構造物が存在していて、壁パネルＷの内部空間Ｓには左右で片方にしか余裕のない場合等に好適なものである。
【００３５】
〔実施例２〕
実施例２による電設用取付体は、図１４〜図２２に示すように、互いに同一部品であるコ字状の取付部２１の一対が摺動伸縮可能に連結されて成る口型電設用取付体Ｂに構成されている。この口型電設用取付体Ｂは、一方の取付部２１と他方の取付部２１とを互いに近付く方向に相対摺動移動させて、一方の取付部２１の鍔部３と他方の取付部２１の鍔部３との全高Ｄが、壁パネルＷの開口１０の上下寸法Ｌ（図１２参照）より少し短い値（Ｄ＜Ｌ）となる収縮状態（＝収縮姿勢、図１４参照）と、一方の取付部２１と他方の取付部２１とを互いに遠ざかる方向に相対摺動移動させて、一方の取付部２１の枠部４と他方の取付部２１の枠部４との全高ｆが、開口１０の上下寸法Ｌと同等又は少し大（ｆ≧Ｌ）となる伸張状態（＝伸張姿勢、図１６参照）とに切換可能に構成されている。
【００３６】
要するに、実施例２による口型電設用取付体壁Ｂは、壁パネルＷにおける開口１０の周辺部の裏面ｗｂに当接可能な鍔部３と、壁パネルＷにおける開口内周面１０ａに沿って壁パネル表面ｗａ側に突出する枠部４と、枠部４の両端夫々から開口内周面１０ａに沿って延びるアーム部５，６とを備える取付部２１の一対が、開口周辺部における相対向する一辺部１５と他辺部１６とに振り分けられる状態に相対配置される。
【００３７】
そして、両取付部２１，２１どうしを互いに接近する方向に相対移動させることで開口１０の通過が可能となる収縮状態と、両取付部２１，２１を互いに遠ざかる方向に相対移動させることで各枠部４，４が開口内周面１０ａに当接可能となる伸張状態とが切換可能となるように、一方の取付部２１の各アーム部５，６と他方の取付部２１の各アーム部５，６どうしを相対移動可能に連結する一対の連結部Ｒ，Ｒが設けられている。
【００３８】
その連結部Ｒを、一方のアーム部５に形成される摺動部２２と、これに相対摺動可能に嵌合される状態で他方のアーム６部に形成される被摺動部２３とによって構成し、かつ、取付部２１の一対のアーム部５，６に摺動部２２と被摺動部２３とを振り分けて形成することにより、各取付部２１，２１どうしが同一部品に構成されている。
【００３９】
取付部２１は、図１９〜図２２に示すように、枠部４の左右端から続く一対のアーム部５，６を有してコ字状を呈する部品である。取付部２１の一方のアーム部は、突起（摺動部２２の一例）２４を有する側であってこれを第１アーム部５と呼ぶものとし、他方のアーム部は、突起２４が嵌る長孔（被摺動部２３の一例）２５を有する側であってこれを第２アーム部６と呼ぶものとする。
【００４０】
第１アーム部５は、図１９，２０，２２に示すように、枠部４に続く基板部２７と、基板部２７の下端から基板部２７の厚み分外方に偏って連設される先板部２８と、先板部２８の後端から基板部２７の内面２７ａと同一面となる短い壁であるガイド壁２９と、先板部２８の内側に突出する突起２４とを有して構成されている。そして、図２０に示すように、先板部２８の前面２８ａは右側（外側）に寄る程後方に寄る若干角度のテーパが付いた傾斜面に形成され、かつ、ガイド壁２９の前面２９ａも右側（外側）に寄る程後方に寄る若干角度のテーパが付いた傾斜面に形成されている。
【００４１】
図２２に示すように、先板部２８の前端は基板部２７の前端よりも若干（後述するガイド壁３１の厚み分相当）後方に寄って位置しており、ガイド壁２９の後端は基板部２７の後端よりも幾分（先板部２８の厚みの略２倍）後方に寄る位置関係に設定されている。また、突起２４の製作上の都合により、ガイド壁２９における突起２４の後方部分が一部欠如された形状とするための切欠き２６が形成されている。尚、ガイド壁前面２９ａの尖り側角部や、円形の突起２４の先端外周部に面取り加工（図２０参照）を施しておいても良い。
【００４２】
第２アーム部５は、図１９〜２１に示すように、枠部４に続く主板部３０と、主板部３０の幅広先端部３０Ａの前端に左向き（外向き）に形成されるガイド壁３１とを有して構成されている。幅広先端部３０Ａの前後中間部に、突起２４が相対上下摺動（スライド）可能に嵌合可能な上下に長い長孔２５が形成されている。幅広先端部３０Ａの後面３０ａ及びガイド壁３１の後面３１ａは、共に左側（外側）に寄る程後方に寄る若干角度のテーパが付いた傾斜面に形成されている。つまり、各ガイド壁２９，３１は、一方のアーム部５と他方のアーム部６との摺動移動を、長孔２５と突起２４との嵌り込み方向に交差する方向で導き案内するためのガイド壁として機能するから、両アーム部５，６をガタツキなく安定的に相対摺動移動できるものとなっている。
【００４３】
図２１に示すように、幅広先端部３０Ａの後端は、主板部３０におけるそれ以外の部分（基端部）の後端よりも若干（ガイド壁２９の厚み分相当）後方に張り出している。ガイド壁３１の前面は枠部４の前面と同一面であり、従って、その後面３１ａは若干後方に寄った位置関係に設定されている。尚、ガイド壁３１の尖り側角部に面取り加工（図２０参照）を施しておいても良い。ところで、鍔部３や枠部４の形状や構造は、実施例１による取付体Ａと同じであって説明が為されたものとし、ここではそれ以上の説明は割愛する。
【００４４】
さて、口型電設用取付体Ｂは、上述した取付部２１の一対を、その左右の第１アーム部５及び第２アーム部６が互いに嵌りあう構造の連結部Ｒを構成しており、それら一対で互いに同一構造の連結部Ｒ，Ｒにより、一対の取付部２１，２１が所定範囲内で伸縮可能に連結される。即ち、図２０の一部を拡大した嵌合図で示すように、一方の取付部２１の第１アーム部５と他方の取付部２１の第２アーム部６とを押付け操作しての若干の弾性変形を伴う無理入れにより、突起２４が長孔２５に嵌合され、かつ、先板部２８の前面２８ａとガイド壁３１の後面３１ａとが嵌り合い、かつ、幅広先端部３０Ａの後面３０ａとガイド壁２９の前面２９ａとが嵌り合う組付状態にすることができる。
【００４５】
この無理入れを伴う操作を２回行うことによって一対の連結部Ｒ，Ｒを構成して、一対の取付部２１，２１どうしを連結することにより、図１４や図１６に示す口型電設用取付体Ｂを構成することができる。上記構造の連結部Ｒは、第１アーム部５と第２アーム部６とが互いに遠近方向に摺動移動可能に嵌合されており、突起２４が長孔２５の下端（一端）に位置する収縮状態（最収縮状態）と、突起２４が長孔２５の上端（他端）に位置する伸張状態（最伸張状態）とに亘る範囲内で相対摺動移動（スライド移動）可能である。
【００４６】
以上のように、口型電設用取付体Ｂは、２個の取付部２１を用いるだけであって部品点数が一点という最小部品種類で構成できており、生産や組付けにおける管理コストの低減や型費の低減に寄与できるて合理的、経済的である。また、両持ち支持構造でスライド伸縮させる構成であるから、方持ちスライド構造の実施例１の取付体Ａに比べて、支持強度や摺動移動の安定性の点で有利であり、また、部品種類が少ない点も有利である。尚、口型電設用取付体Ｂの壁パネルＷの開口１０に嵌め入れて装着する操作は、基本的には図１２，１３に示す実施例１による場合と同様であり、ここでの説明は割愛する。
【００４７】
〔別実施例〕
Ｃ型や口型の各伝説用取付体Ａ，Ｂにおいては、連結部Ｒの構造は上述のものに限定されるものでなく種々の変更が可能である。また、突起５ｔ、２４の形状も図示される略半球状（突起５ｔ）や円柱状（突起２４）以外に四角柱、や長方体等でも良い。
【図面の簡単な説明】
【００４８】
【図１】収縮状態のＣ型電設用取付体を示す正面図（実施例１）
【図２】図１の電設用取付体の背面図
【図３】図１の電設用取付体の左側面図
【図４】図１の電設用取付体の右側面図
【図５】図１の電設用取付体の平面図
【図６】（ａ）は突起を長孔に挿入する前の分解断面図、（ｂ）は突起を長孔に挿入した状態を示す断面図
【図７】図１の電設用取付体の上方から見た斜視図
【図８】図１の電設用取付体の下方から見た斜視図
【図９】伸張状態のＣ型電設用取付体を示す正面図
【図１０】図９の電設用取付体を示す側面図
【図１１】伸張状態のＣ型電設用取付体を示す斜視図
【図１２】Ｃ型電設用取付体の壁パネル開口への嵌め入れ状況を示す作用図
【図１３】壁パネルに装着された状態を示すＣ型電設用取付体の断面図
【図１４】収縮状態の口型電設用取付体を示す正面図（実施例２）
【図１５】図１４の電設用取付体のａ−ａ線断面図
【図１６】伸張状態の口型電設用取付体を示す正面図
【図１７】図１６の電設用取付体のｂ−ｂ線断面図
【図１８】図１６の電設用取付体の右側面図
【図１９】図１４に示す取付部単品の正面図
【図２０】図１９の取付部の底面図
【図２１】図１９の取付部のｃ−ｃ線断面図
【図２２】図１９の取付部のｄ−ｄ線断面図
【符号の説明】
【００４９】
１          第１取付部
２          第２取付部
３          鍔部
４          枠部
５          アーム部
６          アーム部
７          突刺し部材、針
１０        開口
１０ａ      開口内周面
１５        一辺部
１６        他辺部
２１        取付部
２２        摺動部
２３        被摺動部
２４        突起
２５        長孔
２９，３１  ガイド壁
Ａ          Ｃ型電設用取付体
Ｂ          口型電設用取付体
Ｒ          連結部
Ｗ          壁パネル
ｗａ        パネル表面
ｗｂ        パネル裏面
【図１】
2009261151.tif 000003
【図２】
2009261151.tif 000004
【図３】
2009261151.tif 000005
【図４】
2009261151.tif 000006
【図５】
2009261151.tif 000007
【図６】
2009261151.tif 000008
【図７】
2009261151.tif 000009
【図８】
2009261151.tif 000010
【図９】
2009261151.tif 000011
【図１０】
2009261151.tif 000012
【図１１】
2009261151.tif 000013
【図１２】
2009261151.tif 000014
【図１３】
2009261151.tif 000015
【図１４】
2009261151.tif 000016
【図１５】
2009261151.tif 000017
【図１６】
2009261151.tif 000018
【図１７】
2009261151.tif 000019
【図１８】
2009261151.tif 000020
【図１９】
2009261151.tif 000021
【図２０】
2009261151.tif 000022
【図２１】
2009261151.tif 000023
【図２２】
2009261151.tif 000024